(57)【要約】【課題】テロ対策などの犯罪抑止のために航空機の搭乗者を特定する。【解決手段】指紋認証技術を用いて航空券を発券してチケットレスで航空機に搭乗することができる構成を提供する。本方法によりセキュリティと利便性の向上を図る。また、個人の登録指紋情報が入ったＩＣカードを利用することにより、本人がどの指を登録したのかを忘れるのを防止する。【選択図】図１
2007328556.tif 000002
【特許請求の範囲】
【請求項１】
所定の場所への入場を所望するユーザにより入力された予約情報を取得するユーザ端末と、
前記ユーザの身体的特徴を示す登録生体情報を取得する生体情報取得装置と、
前記予約情報及び前記登録生体情報を登録するホストコンピュータと、
前記所定の場所の入口近傍に設置され、前記所定の場所への入場の際に前記ユーザから前記予約情報が指定された時、前記ホストコンピュータから前記登録生体情報を呼び出し、前記ユーザから生体情報を取得し、前記ユーザの生体情報と前記登録生体情報とを照合し、照合が合致を示す場合、前記ユーザの前記所定の場所への入場を許可する照合装置と
を具備する
認証システム。
【請求項２】
請求項１に記載の認証システムにおいて、
前記生体情報取得装置は、前記登録生体情報が記録されたＩＣカードを読み取り、前記登録生体情報を取得する
認証システム。
【請求項３】
請求項１に記載の認証システムにおいて、
前記予約情報が記録されたチケットを発行するチケット発行装置と
を更に具備し、
前記照合装置は、前記チケットから前記予約情報を読み取る
認証システム。
【請求項４】
請求項１に記載の認証システムにおいて、
前記予約情報は、ユーザＩＤ（識別情報）、予約番号（整理番号）、及びパスワードのうち少なくとも１つを含む
認証システム。
【請求項５】
ユーザが航空券の予約情報を入力するためのユーザ端末と、
前記予約情報に基づき前記航空券を発行する券売機と、
前記ユーザのＩＣカードから登録指情報を読み取るＩＣカードリーダと、
前記登録指情報を保持する指紋データベースと、
空港の搭乗ゲートに搭載され、前記予約情報に応じて前記指紋データベースから前記登録指情報を呼び出し、前記ユーザから指紋情報を取得し、前記指紋情報と前記登録指情報とを照合し、照合が合致を示す場合には前記搭乗ゲートの開放を許可する指紋照合装置と
を具備する
認証システム。
【請求項６】
請求項５に記載の認証システムにおいて、
前記指紋照合装置は、前記ユーザから指紋情報を取得する際、照合画面に、照合する指を文字で表示する
認証システム。
【請求項７】
（ａ１）ユーザ端末ＰＣからチケットの予約をし、予約情報をホストコンピュータに記録するステップと、
（ａ２）券売機で前記チケットを購入する際、前記予約情報を前記ホストコンピュータから前記券売機に呼び出すステップと、
（ａ３）ユーザの登録指情報を取得し、前記登録指情報を指紋データベースに登録するステップと、
（ａ４）所定の場所への入場の際に前記ユーザから前記予約情報が指定された時、前記指定された予約情報を前記ホストコンピュータに送信するステップと、
（ａ５）前記ホストコンピュータが、前記指定された予約情報に基づき、前記指紋データベースから前記登録指情報を呼び出し、前記登録指情報を指紋照合端末に返信するステップと、
（ａ６）前記指紋照合端末は、前記ユーザから指紋に関する情報を取得し、前記指紋に関する情報と前記登録指情報とを照合するステップと、
（ａ７）照合が合致を示す場合には、前記ユーザの前記所定の場所への入場を許可するステップと
を具備する
認証方法。
【請求項８】
請求項７に記載の認証方法において、
前記（ａ３）ステップは、
（ａ３１）前記登録指情報が記録されたＩＣカードをＩＣカードリーダに挿入するステップと、
（ａ３２）ＩＣカードリーダが、前記ＩＣカードから読み取った前記登録指情報を前記指紋データベースに登録するステップと
を具備する
認証方法。
【請求項９】
請求項７又は８に記載の認証方法において、
前記（ａ６）ステップは、
（ａ６１）前記指紋照合端末は、前記登録指情報に基づき、照合端末画面に照合する指を文字又は画像で表示するステップと、
（ａ６２）前記ユーザが前記指紋照合装置に指で触れたり指を近づけたりすることで、前記指紋照合装置が前記ユーザの指紋を読み取るステップと
を具備する
認証方法。
【請求項１０】
請求項７乃至９のいずれか一項に記載の認証方法を、コンピュータに実行させるためのプログラム。
【発明の詳細な説明】
【技術分野】
【０００１】
本発明は、認証システムに関し、特に指紋認証技術とＩＣカードを用いた認証システムに関する。
【背景技術】
【０００２】
近年テロ対策などの犯罪抑止のために航空機の搭乗者を特定することが急務となっている。しかし、現状では、以下のような問題点がある。
【０００３】
第１の問題点は、係員がパスポートと搭乗券の目視チェックだけで搭乗者をチェックするということである。その理由は、パスポートが紙ベースであるためである。
【０００４】
第２の問題点は、偽造パスポートで本人になりすまして容易に第三国に入国できるということである。その理由は、係員が目視でチェックすることと、パスポートの偽造が容易なためである。
【０００５】
第３の問題点は、搭乗券の紛失や盗難の恐れがあるということである。その理由は、本人が搭乗券を携帯しなければならないためである。
【０００６】
第４の問題点は、従来の指紋認証システムを利用する場合、どの指を登録したのかを忘れるということである。その理由は怪我や、本人の気分などの不確定要素に左右され登録する指が決まってないためである。また、登録から認証までの間に長期間のタイムラグ（時間差）があると、病気や怪我などにより登録した指紋の状態が変化することも考えられる。これは、指紋以外のバイオメトリクス認証（生体認証）システムにおいても同様である。
【０００７】
【特許文献１】特開２００３−１６４７８号公報
【発明の開示】
【発明が解決しようとする課題】
【０００８】
本発明の目的は、指紋認証技術を用いて航空券を発券してチケットレスで航空機に搭乗することができる認証システムを提供することである。
本発明の他の目的は、本方法によりセキュリティと利便性の向上を図るための認証システムを提供することである。
本発明の更に他の目的は、個人の登録指紋情報が入ったＩＣカードを利用することにより、本人がどの指を登録したのかを忘れるのを防止する認証システムを提供することである。
【課題を解決するための手段】
【０００９】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１０】
本発明の認証システムは、所定の場所への入場を所望するユーザにより入力された予約情報を取得するユーザ端末（１）と、前記ユーザの身体的特徴を示す登録生体情報を取得する生体情報取得装置（３，８）と、前記予約情報及び前記登録生体情報を登録するホストコンピュータ（４，６，７）と、前記所定の場所の入口近傍に設置され、前記所定の場所への入場の際に前記ユーザから前記予約情報が指定された時、前記ホストコンピュータ（４，６，７）から前記登録生体情報を呼び出し、前記ユーザから生体情報を取得し、前記ユーザの生体情報と前記登録生体情報とを照合し、照合が合致を示す場合、前記ユーザの前記所定の場所への入場を許可する照合装置（５）とを具備する。
【００１１】
前記生体情報取得装置（３，８）は、前記登録生体情報が記録されたＩＣカードを読み取り、前記登録生体情報を取得する。
【００１２】
本発明の認証システムは、前記予約情報が記録されたチケットを発行するチケット発行装置（２）を更に具備する。前記照合装置（５）は、前記チケットから前記予約情報を読み取る。
【００１３】
前記予約情報は、ユーザＩＤ（識別情報）、予約番号（整理番号）、及びパスワードのうち少なくとも１つを含む。
【００１４】
本発明の他の認証システムは、ユーザが航空券の予約情報を入力するためのユーザ端末（１）と、前記予約情報に基づき前記航空券を発行する券売機（２）と、前記ユーザのＩＣカードから登録指情報を読み取るＩＣカードリーダ（３）と、前記登録指情報を保持する指紋データベース（７）と、空港の搭乗ゲートに搭載され、前記予約情報に応じて前記指紋データベース（７）から前記登録指情報を呼び出し、前記ユーザから指紋情報を取得し、前記指紋情報と前記登録指情報とを照合し、照合が合致を示す場合には前記搭乗ゲートの開放を許可する指紋照合装置（５）とを具備する。
【００１５】
前記指紋照合装置（５）は、前記ユーザから指紋情報を取得する際、照合画面に、照合する指を文字で表示する。
【００１６】
本発明の認証方法、及び、プログラムは、（ａ１）ユーザ端末（１）ＰＣからチケットの予約をし、予約情報をホストコンピュータ（４，６）に記録するステップと、（ａ２）券売機（２）で前記チケットを購入する際、前記予約情報を前記ホストコンピュータ（４，６）から前記券売機（２）に呼び出すステップと、（ａ３）ユーザの登録指情報を取得し、前記登録指情報を指紋データベース（７）に登録するステップと、（ａ４）所定の場所への入場の際に前記ユーザから前記予約情報が指定された時、前記指定された予約情報を前記ホストコンピュータ（４，６）に送信するステップと、（ａ５）前記ホストコンピュータ（４，６）が、前記指定された予約情報に基づき、前記指紋データベース（７）から前記登録指情報を呼び出し、前記登録指情報を指紋照合端末（５）に返信するステップと、（ａ６）前記指紋照合端末（５）は、前記ユーザから指紋に関する情報を取得し、前記指紋に関する情報と前記登録指情報とを照合するステップと、（ａ７）照合が合致を示す場合には、前記ユーザの前記所定の場所への入場を許可するステップと
を具備する。
【００１７】
前記（ａ３）ステップは、（ａ３１）前記登録指情報が記録されたＩＣカードをＩＣカードリーダ（３）に挿入するステップと、（ａ３２）ＩＣカードリーダ（３）が、前記ＩＣカードから読み取った前記登録指情報を前記指紋データベース（７）に登録するステップとを具備する。
【００１８】
前記（ａ６）ステップは、（ａ６１）前記指紋照合端末（５）は、前記登録指情報に基づき、照合端末画面に照合する指を文字又は画像で表示するステップと、（ａ６２）前記ユーザが前記指紋照合装置（５）に指で触れたり指を近づけたりすることで、前記指紋照合装置（５）が前記ユーザの指紋を読み取るステップとを具備する。
【発明の効果】
【００１９】
第１の効果は、セキュリティ面の向上と信頼性の確保ができることにある。その理由は、指紋認証技術と本人情報の入ったＩＣカードを利用して搭乗者本人を特定するためである。なお、ＩＣカードとは、半導体集積回路（ＩＣチップ）を埋め込み、情報を記録できるようにしたカードである。
第２の効果は、チケットレスで航空機に搭乗できることにある。その理由は、上記と同じためである。
【発明を実施するための最良の形態】
【００２０】
以下に本発明の第１実施形態について添付図面を参照して説明する。
図１を参照すると、本発明の認証システムは、ユーザ端末ＰＣ１と、券売機２と、ＩＣカードリーダ３と、ホストコンピュータ４と、指紋照合装置５と、ホストコンピュータ６と、指紋データベース７を備えている。
【００２１】
ユーザ端末ＰＣ１は、ユーザが航空券（チケット）の予約をするための通信装置であり、ホストコンピュータ４との間で予約情報の通信を行う。なお、ユーザ端末ＰＣ１は、パソコンに限らず、携帯電話機でも良い。券売機２は、空港又はコンビニエンスストアに設置され、航空券の発行及び販売を行う。ＩＣカードリーダ３は、券売機２に搭載されており、ＩＣカード内の登録指情報を読み取る。ホストコンピュータ４は、ＩＣカードリーダ３との間で、ＩＣカードリーダ３が読み取ったＩＣカード内の情報を通信する。指紋照合装置５は、空港の搭乗ゲートに搭載され、ユーザの指紋に関する情報を取得する。また、指紋照合装置５として、指紋認証機能を有する携帯端末を利用することも考えられる。ホストコンピュータ６は、指紋データベース７にアクセスして指紋の照合を行う。また、ホストコンピュータ６は、ユーザ端末ＰＣ１や券売機２からアクセス禁止にすることで不正アクセスを防止し、仮にホストコンピュータ４に障害が発生したとしても指紋の照合を継続することが可能になる。なお、ホストコンピュータ４とホストコンピュータ６は一体化していても良い。指紋データベース７は、ＩＣカードリーダ３が読み取ったＩＣカード内の登録指情報を保持する。
【００２２】
次に、図１を参照して本実施形態の全体の動作について詳細に説明する。
（１）ステップＳ１０１
ユーザ端末ＰＣ１から目的の航空券（チケット）の予約をする。便名、搭乗者（ユーザ）などの予約情報はホストコンピュータ４に記録される。
（２）ステップＳ１０２
次に、ユーザは空港又はコンビニエンスストアに設置された券売機２で航空券を購入する。その際、ユーザは事前に予約した情報（予約情報）をホストコンピュータ４から券売機２に呼び出す。なお、ユーザ端末ＰＣ１からの予約無しに、券売機２において予約したり、直接その場で所望する航空券を購入したりすることも可能である。この時、航空券に予約情報を電気的又は磁気的に記録することも可能である。なお、ユーザ毎の予約情報を識別するために、ユーザＩＤ（識別情報）、予約番号（整理番号）、又は予約情報を呼び出すためのパスワードを発行しても良い。これらの情報は、予約情報に対応させて記録することが望ましい。
（３）ステップＳ１０３
次に、ユーザは登録指情報が入ったＩＣカードをＩＣカードリーダ３に挿入する。なお、ＩＣカードは、ＩＣチップを有するパスポート又は他の身分証明書でも良い。なお、ＩＣカードをＩＣカードリーダ３に挿入するまで、券売機２は航空券を発行しないようにしても良い。すなわち、登録指情報の提供と引き換えに航空券を発行するようにする。
（４）ステップＳ１０４
ＩＣカードリーダ３は、読み取ったＩＣカード内の登録指情報を指紋データベース７に登録する。この時、予約情報と登録指情報を対応させて登録することが望ましい。予約情報に基づいて登録指情報を呼び出す必要があるためである。但し、必ずしも同じデータベースやテーブルに格納しておく必要はなく、ＲＤＢ（リレーショナルデータベース）のように、関連付けて呼び出せるようにしておけば足りる。
（５）ステップＳ１０５
次に、ユーザは空港の搭乗ゲートで予約情報を入力する。予約情報の入力については、指紋照合端末５の入力画面にユーザが予約情報を入力する。この時、予約情報として、前述のユーザＩＤ（識別情報）、予約番号（整理番号）、又はパスワードを入力するようにしても良い。或いは、指紋照合端末５の航空券挿入口に航空券を挿入することで、航空券に記録された予約情報を読み取るようにする。この時、入力された予約情報はホストコンピュータ６に送信される。
（６）ステップＳ１０６
ホストコンピュータ６は、予約情報に基づき、指紋データベース７からユーザ本人の登録指情報を呼び出し、この登録指情報を指紋照合端末５に返信する。
（７）ステップＳ１０７
指紋照合端末５は、指紋データベース７から呼び出した登録指情報を出力する。この時、指紋照合端末５は登録指情報に基づき、照合端末画面に照合する指を文字又は画像で表示する。音声案内を付加しても良い。ユーザ本人は指示に従い指紋照合装置５に指紋を入力する。指紋照合装置５に指紋情報を入力する際、ユーザが指紋照合装置５に指で触れたり指を近づけたりすることで、指紋照合装置５がユーザの指紋を直接読み取る。
（８）ステップＳ１０８
照合が合致を示す場合には搭乗ゲートが開き航空機に搭乗できる。この時、指紋照合装置５は、照合が合致を示す場合、搭乗ゲートに対してユーザの入場許可、すなわち扉（ゲート）の開放を要求する。搭乗ゲートは、指紋照合装置５からの要求に応じて、扉を開放する。或いは、搭乗ゲートは、指紋照合装置５から照合が合致した旨の通知を受けた時に扉を開放する。
【００２３】
次に、本発明の第１の実施例の効果について説明する。
本発明の第１の実施例では、登録指情報が入ったＩＣカードの情報と搭乗ゲートでの指紋認証技術を用いて搭乗者本人を特定しチケットレスで搭乗できるというように構成されているため、セキュリティ面の向上につながり信頼性と利便性を確保できる。
また、本発明の第１の実施例では、ＩＣカードに登録指情報が入っているために、本人が登録した指を迷うことなく選択でき、利便性の向上となる。
【００２４】
以下に本発明の第２実施形態について説明する。
第１実施形態ではＩＣカードを使用しているが、ＩＣカードの登録指情報は頻繁に更新することが難しく、登録された情報が古くなってしまう場合がある。また、何らかの事情によりＩＣカードがユーザの手元に無い場合、認証システムを利用できなくなってしまう。そのため、第２実施形態として、ＩＣカードを使用せずに認証を行う場合について説明する。
【００２５】
本実施形態では、ＩＣカードリーダ３の代わりに指紋入力装置８を使用する。
図３を参照すると、本発明の認証システムは、ユーザ端末ＰＣ１と、券売機２と、ホストコンピュータ４と、指紋照合装置５と、ホストコンピュータ６と、指紋データベース７と、指紋入力装置８を備えている。
指紋入力装置８は、ＩＣカードリーダ３の代わりに券売機２に搭載されており、ユーザの指紋に関する情報を取得する。指紋入力装置８は、券売機２に設置されたタッチパネル式の入力画面でも良い。或いは、指紋照合装置５と同じ装置でも良い。
【００２６】
図４を参照して、ＩＣカードを使用せずに認証を行う場合の動作について詳細に説明する。
（１）ステップＳ２０１
ユーザ端末ＰＣ１から目的の航空券（チケット）の予約をする。便名、搭乗者（ユーザ）などの予約情報はホストコンピュータ４に記録される。
（２）ステップＳ２０２
次に、ユーザは空港又はコンビニエンスストアに設置された券売機２で航空券を購入する。その際、ユーザは事前に予約した情報（予約情報）をホストコンピュータ４から券売機２に呼び出す。なお、ユーザ端末ＰＣ１からの予約無しに、券売機２において予約したり、直接その場で所望する航空券を購入したりすることも可能である。この時、航空券に予約情報を電気的又は磁気的に記録することも可能である。なお、ユーザ毎の予約情報を識別するために、ユーザＩＤ（識別情報）、予約番号（整理番号）、又は予約情報を呼び出すためのパスワードを発行しても良い。これらの情報は、予約情報に対応させて記録することが望ましい。
（３）ステップＳ２０３
ユーザは指紋入力装置８に、指で触れたり指を近づけたりすることで指紋情報を入力する、この入力された指紋情報を登録指情報とする。なお、ユーザが指紋情報を入力するまで、券売機２は航空券を発行しないようにしても良い。すなわち、登録指情報の提供と引き換えに航空券を発行するようにする。
（４）ステップＳ２０４
指紋入力装置８は、取得した登録指情報を指紋データベース７に登録する。この時、予約情報と登録指情報を対応させて登録することが望ましい。予約情報に基づいて登録指情報を呼び出す必要があるためである。但し、必ずしも同じデータベースやテーブルに格納しておく必要はなく、ＲＤＢ（リレーショナルデータベース）のように、関連付けて呼び出せるようにしておけば足りる。
（５）ステップＳ２０５
次に、ユーザは空港の搭乗ゲートで予約情報を入力する。予約情報の入力については、指紋照合端末５の入力画面にユーザが予約情報を入力する。この時、予約情報として、前述のユーザＩＤ（識別情報）、予約番号（整理番号）、又はパスワードを入力するようにしても良い。或いは、指紋照合端末５の航空券挿入口に航空券を挿入することで、航空券に記録された予約情報を読み取るようにする。この時、入力された予約情報はホストコンピュータ６に送信される。
（６）ステップＳ２０６
ホストコンピュータ６は、予約情報に基づき、指紋データベース７からユーザ本人の登録指情報を呼び出し、この登録指情報を指紋照合端末５に返信する。
（７）ステップＳ２０７
指紋照合端末５は、指紋データベース７から呼び出した登録指情報を出力する。この時、指紋照合端末５は登録指情報に基づき、照合端末画面に照合する指を文字又は画像で表示する。音声案内を付加しても良い。ユーザ本人は指示に従い指紋照合装置５に指紋を入力する。指紋照合装置５に指紋情報を入力する際、ユーザが指紋照合装置５に指で触れたり指を近づけたりすることで、指紋照合装置５がユーザの指紋を直接読み取る。
（８）ステップＳ２０８
照合が合致を示す場合には搭乗ゲートが開き航空機に搭乗できる。この時、指紋照合装置５は、照合が合致を示す場合、搭乗ゲートに対してユーザの入場許可、すなわち扉（ゲート）の開放を要求する。搭乗ゲートは、指紋照合装置５からの要求に応じて、扉を開放する。或いは、搭乗ゲートは、指紋照合装置５から照合が合致した旨の通知を受けた時に扉を開放する。
【００２７】
実際には、券売機２は、ＩＣカードリーダ３と指紋入力装置８を両方とも備えていても良い。こうすることで、ユーザがＩＣカードを持っている場合と持っていない場合のどちらでも認証を行うことが可能になる。
【００２８】
ここでは、指紋認証を例に説明しているが、他のバイオメトリクス認証を利用しても良い。この場合、指紋の代わりに、指や手の静脈パターン、眼球の奥の虹彩、顔の輪郭（人相）、声といった身体的特徴を利用することが考えられる。
【００２９】
なお、本発明の認証システムは、航空機以外にも、鉄道、船舶、事前に発券予約が可能な高速バスといった公共交通機関に利用することが考えられる。また、駐車場や有料道路、入場を制限する必要のある有料施設（展示場、イベント会場、テーマパーク等）においても利用することが可能である。
【００３０】
以下に本発明の第３実施形態について説明する。
本発明によれば、指紋認証技術で本人特定してチケットレスとすることでセキュリティが求められる認証システムに適用できる。また、登録指情報の入ったＩＣカードを利用することによりマンションの入退場管理といった用途に適用できる。この場合、マンションに入退場するユーザの識別情報と入退場時間、更には訪問予定の部屋番号といった情報を、指紋情報と組み合わせて記録するようにしても良い。
【００３１】
マンションの入退場管理においては、券売機２はマンションの入口近くに設置されている。図１の搭乗ゲートがマンションの入口に該当する。なお、マンションの入場券を発行しない場合、券売機２は無くても良い。この場合、マンションの入口近くにＩＣカードリーダ３を設置する。
【００３２】
次に、図５を参照してマンション又は施設への入場の際の動作について詳細に説明する。
（１）ステップＳ３０１
ユーザ端末ＰＣ１から目的のマンション又は施設の入場の予約をする。訪問予定場所、入場者（ユーザ）などの予約情報はホストコンピュータ４に記録される。
（２）ステップＳ３０２
次に、マンション又は施設の入場ゲート（入口）近傍に設置された券売機２で入場券を取得する。ここでは、入場券は無料で取得できるものとする。その際、ユーザは事前に予約した情報（予約情報）をホストコンピュータ４から券売機２に呼び出す。なお、ユーザ端末ＰＣ１からの予約無しに、券売機２において予約したり、直接その場で入場券を取得したりすることも可能である。この時、入場券に予約情報を電気的又は磁気的に記録することも可能である。なお、ユーザ毎の予約情報を識別するために、ユーザＩＤ（識別情報）、予約番号（整理番号）、又は予約情報を呼び出すためのパスワードを発行しても良い。これらの情報は、予約情報に対応させて記録することが望ましい。なお、実際には、入場券を発行しなくても良い。
（３）ステップＳ３０３
次に、ユーザは登録指情報が入ったＩＣカードをＩＣカードリーダ３に挿入する。なお、ＩＣカードは、ＩＣチップを有する身分証明書でも良い。
（４）ステップＳ３０４
ＩＣカードリーダ３が読み取ったＩＣカード内の登録指情報が指紋データベース７に登録される。この時、予約情報と登録指情報を対応させて登録することが望ましい。予約情報に基づいて登録指情報を呼び出す必要があるためである。但し、必ずしも同じデータベースやテーブルに格納しておく必要はなく、ＲＤＢ（リレーショナルデータベース）のように、関連付けて呼び出せるようにしておけば足りる。
（５）ステップＳ３０５
次に、ユーザは入場ゲート（入口）で予約情報を入力する。予約情報の入力については、指紋照合端末５の入力画面にユーザが予約情報を入力する。この時、予約情報として、前述のユーザＩＤ（識別情報）、予約番号（整理番号）、又はパスワードを入力するようにしても良い。或いは、入場券が発行されている場合、指紋照合端末５の入場券挿入口に入場券を挿入することで、入場券に記録された予約情報を読み取るようにする。この時、入力された予約情報はホストコンピュータ６に送信される。
（６）ステップＳ３０６
ホストコンピュータ６は、予約情報に基づき、指紋データベース７からユーザ本人の登録指情報を呼び出し、この登録指情報を指紋照合端末５に返信する。
（７）ステップＳ３０７
指紋照合端末５は、指紋データベース７から呼び出した登録指情報を出力する。この時、指紋照合端末５は登録指情報に基づき、照合端末画面に照合する指を文字又は画像で表示する。音声案内を付加しても良い。ユーザ本人は指示に従い指紋照合装置５に指紋を入力する。指紋照合装置５に指紋情報を入力する際、ユーザが指紋照合装置５に指で触れたり指を近づけたりすることで、指紋照合装置５がユーザの指紋を直接読み取る。
（８）ステップＳ３０８
照合が合致を示す場合には入場ゲート（入口）が開きマンション又は施設に入場できる。この時、指紋照合装置５は、照合が合致を示す場合、入場ゲートに対してユーザの入場許可、すなわち扉（ゲート）の開放を要求する。入場ゲートは、指紋照合装置５からの要求に応じて、扉を開放する。或いは、入場ゲートは、指紋照合装置５から照合が合致した旨の通知を受けた時に扉を開放する。
【００３３】
本実施形態においても、第２実施形態と同様の構成の認証システムを用いることで、ＩＣカードを利用せずに認証を行うことが可能ある。
【００３４】
以上のように、本発明の認証システムは、端末から航空機の予約を確定する際に登録指情報の入ったＩＣカードを利用することで、航空機の予約ができる。その時、ＩＣカードに入った登録指情報が搭乗者一覧のデータベースに登録される。搭乗者本人が搭乗ゲートを通過する時に、指紋認証端末に登録指情報が表示され、その指紋と一致することにより航空機に搭乗できるように動作する。また、航空機以外の交通機関、施設の入退場管理に利用することも可能である。
【図面の簡単な説明】
【００３５】
【図１】図１は、本発明の認証システムの構成を示す概要図である。
【図２】図２は、認証システムの動作を示すフローチャートである。
【図３】図３は、ＩＣカードを利用しない認証システムの構成を示す概要図である。
【図４】図４は、ＩＣカードを利用しない認証システムの動作を示すフローチャートである。
【図５】図５は、マンション又は施設への入場の際の動作を示すフローチャートである。
【符号の説明】
【００３６】
１…  ユーザ端末ＰＣ
２…  券売機
３…  ＩＣカードリーダ
４…  ホストコンピュータ
５…  指紋照合装置
６…  ホストコンピュータ
７…  指紋データベース
８…  指紋入力装置
【図１】
2007328556.tif 000003
【図２】
2007328556.tif 000004
【図３】
2007328556.tif 000005
【図４】
2007328556.tif 000006
【図５】
2007328556.tif 000007